(57)【要約】【課題】  本発明の課題は、足場単管より足場布板の取外しを安全で簡単に取り外す装置を提供することにある。【解決手段】  仮設足場における足場単管と足場布板は、足場布板長手方向両端に設けられた掛金により足場単管と嵌合固定される。  掛金には内Ｒの付いた下部解放の足場単管嵌合部が設けられ、さらに掛金には足場単管嵌合後の脱落防止策として脱落防止移動子が設けられている。  解体を行うに、脱落防止移動子が邪魔をして１人での作業が困難であるため、同一の脱落防止移動子を用い、脱落防止移動子を掛金Ｒ部内側に折り込み脱落防止移動子外側の滑り止め抉りを足場単管に預け脱落防止機能の解除を行う装置。【選択図】図１
2012180727.tif 000002
【特許請求の範囲】
【請求項１】
足場布板長手方向両端の掛金に設けられた脱落防止移動子には複数のガイド溝と、ガイド溝それぞれにガイドピンと嵌合する抉りが設けられ、片方のガイドピンを支点に回転動作と回転幅を拡幅する抉りが設けられた脱落防止移動子。
【請求項２】
前記脱落防止移動子を用い、脱落防止移動子を足場布板掛金の単管嵌合部内側に折り込み、折りこんだ脱落防止移動子の滑り止め抉りを足場単管上部に預け、足場布板の荷重で足場布板掛金と足場単管の嵌合解除を行う方法。
【発明の詳細な説明】
【発明の詳細な説明】
【技術分野】
【０００１】  本発明は、建築現場等で使用される仮設足場に使用される足場布板着脱に関するものである。
【背景技術】
【０００２】  足場布板は足場単管と組み合わせで使用される。  足場布板は足場単管との組み合わせは、足場布板長手方向両端に施された掛金嵌合部と足場単管との嵌合で固定される。
さらに、掛金には、足場単管と不意の離脱防止のための脱落防止移動子が施されている。【０００３】  この、脱落防止移動子は足場組立時に半自動的に嵌合固定される仕組みになっている。このため、足場解体時に両手が届く範囲であれば嵌合された掛金を外すことができるが、足場布板長手方向は一概に両手が届く範囲外である。また、二個以上の掛金が施された足場布板の取外しは困難をきたした。【０００４】  そこで、足場布板解体時に脱落防止移動子を掛金嵌合部上方位置に収納固定する方法が開示されている（特許文献１参照）。【０００５】
【特許文献１】特開２００４−２７８２６２号公報
【発明の開示】
【発明が解決しようとする課題】
【０００６】  しかしながら、上記提案は脱落防止移動子の掛金嵌合部上方収納方法であるため、掛金と足場単管の嵌合時に、脱落防止移動子が上方の位置で静止したままの状態となるおそれがあり、嵌合と同時に働かなければならない脱落防止作用が阻害される恐れがある。【０００７】  本発明は、上記課題に鑑みてなされたもので、仮設足場組立は現状維持で解体時の安全性と経済性に優れた掛金脱落防止移動子の提供することを目的とする。【０００８】  また、取外し時の安全性と経済性の高い掛金脱落防止移動子の提供を目的とする。
【課題を解決するための手段】
【０００９】上記課題を解決するために、本発明に係る請求項１の布板掛金脱落防止移動子は、足場布板長手方向両端に通常二個ずつ４箇所設けられている掛金にそれぞれに取り付けられていることを特徴とする。【００１０】  掛金内側は足場単管迎合のためＲの形状で下方は開放され、開放部は足場単管径より若干大きな幅で作成されている。この掛金Ｒ部を足場単管と嵌合させ足場布板自重及び足場布板に加わる荷重にて足場単管と足場布板の結合がなされる。  しかしながら、このままでは、不意に下方より上方向けに荷重が加わった場合、足場布板掛金が外れる恐れがあるため布板掛金脱落防止移動子が設けられている。【００１１】  足場布板掛金脱落防止移動子は、足場単管に足場布板掛金を掛けた時自動的に、Ｒ部下方に落下し、開放部は足場単管径より狭小となり脱落防止機能を果たす。【００１２】  このように、設置時に掛金は自動的に脱落防止機能を果たし、安全性の確保ができるが、解体時は脱落防止機能が邪魔をするため解除を行う必要がある。解除を１人で行うには足場布板長手方向両端で同時に脱落防止機能の解除作業を行う必要がある。【００１３】  既存品（図７）は、掛金Ｒ上部に脱落防止移動子の静止を行う構造のため少しの振動で足場単管と足場布板掛金が嵌合し脱落防止機能が働くので不便である。【００１４】  このため、簡単で確実な足場解体時のみの脱落防止機能を一時的に解除する方法を提供する。
【発明の効果】
【００１５】  以上説明したように、本発明に係る布板掛金の脱落防止移動子は、足場組立時においては、既存製品の機能を何ら損なわず、布板掛金の脱落防止移動子の簡単な加工のみで済、安全で確実な足場布板取外し作業を１人で行うことができるので、極めて経済性に優れた効果を発揮する。
【発明を実施するための最良の形態】
【００１６】  本発明を実施するための最良の形態を図１参照して説明する。【００１７】  図１に示す１４掛金は１１足場布板長手方向両端にそれぞれ複数接合されている。（既存品も同じ）１４掛金は、１３足場単管嵌合部は下面が解放された形状である、１３足場単管嵌合開放部は１２足場単管径より幅広く、１４掛金を１２足場単管に預けることで１１足場布板自重により簡単に嵌合する。【００１８】  簡単な嵌号は、反対荷重が掛かればはずれ良いため、１脱落防止移動子を組み合わすことで反荷重による脱落を防止している。【００１９】  １脱落防止移動子は、自重で常に下方に位置し、１４掛金開放部を１２足場単管の径より狭小となるため、反荷重に対する１４掛金が１２足場単管より離脱の防止ができる。【００２０】  仮設足場組立は簡単に行えるが、仮設足場の使命が終われば直ちに撤去作業が始まる。この１１足場布板の撤去時に１４掛金に施された１脱落防止移動子による脱落防止機能が働く、この機能の解除は人手で行われ、１脱落防止移動子を解除の位置で保持を行うには人の手が必要であった。【００２１】  この改善のため特開２００４−２７８２６２で示されている。脱落防止移動子を掛金上方に引上げ保持する方法が考案されている。また、現状既存品においては図７に示すように本発明品に該当する３ａガイド溝下方に４ａガイドピンとの嵌号で保持される抉りが設けられている。【００２２】  図６は特開２００４−２７８２６２は脱落防止移動子を掛金上方の位置に保持した側面図である。現状の既存品においては、図７のように上下二箇所設けられた下部のガイド溝下方にガイドピン嵌合用抉りが設けられている。この状態で１脱落防止移動子は掛金上部で固定保持されるがこの掛が浅いため、作業時の振動により１脱落防止移動子が滑り落ち掛金は足場単管と脱落防止機能状態となる。したがって再度脱落防止機能の解除を行う必要にせまわれる欠点がある。特開２００４−２７８２６２は組立に際して１脱落防止移動子が脱落防止機能解除状態のまま保持される可能性もある。【００２３】  そこで、本発明品は前記の欠点を解消し確実で安全な脱落防止機能解除方法を提供する。１脱落防止移動子は脱落防止機能のみの利用で無く、脱落防止機能解除にも利用する。【００２４】  まず、１脱落防止移動子の３ｂガイド溝の上部に２ａガイドピン嵌合抉りを設ける。この抉りを設けることにより、脱落防止機能は既存品と遜色はない動きを確保しつつ、取外し時に１２足場単管より１４掛金の離脱を防止ために内折を大きくする目的での抉りである。【００２５】  １脱落防止移動子の脱落防止機能を解除するには、１脱落防止移動子を手で解除した後１１足場布板を持ち上げ、１脱落防止移動子を１４掛金Ｒ部内側に大きく折り曲げ、１落防止移動子の５滑り止め抉り部を１２足場単管の上部に預けることで、１１足場布板の自重により１１足場布板の脱落防止機能解除が確実に行える。【００２６】  したがって、脱落防止機能の解除を確保したままでの位置状態を維持することができるので、１１足場布板長手方向対向部１４掛金を操作するのに両手を１１足場布板より外しての移動が可能となる。【００２７】  下方のガイド溝上方に抉りのあるものは、他に特開２００７−９４８６に存在するが、この抉り方では、下より荷重がかかった場合、１脱落防止移動子は上方に押し上げられると同時にガイドピンより外れ下方に落下し、掛金と足場単管は嵌合し脱落防止機能が働く、当申請とは異なる抉りである。
【実施例】
【００２８】  次に、組立てから実施例を紹介する、まず１２足場単管に１１足場布板に取り付けた１４掛金を載せ１脱落防止移動子を上方に押し上げ１４掛金下方を開放する。１２足場単管を１３足場単管嵌合部に挿入し１２足場単管と１４掛金との嵌合をする。さらに、１脱落防止移動子は自然落下で、１４掛金開放部は１脱落防止移動子により１２足場単管径より狭小となるため脱落防止機能を果たす。【００２９】  １１足場布板の取外しについて説明する。１４掛金に取り付けた１脱落防止移動子は、３ａ、３ｂガイド溝に嵌合された４ａ、４ｂガイドピンにより時計回りの回転移動で１３足場単管嵌合部下方が解放状態となる。次いで、１１足場布板を押し上げる、その後、１１脱落防止移動子を反時計まわりに回転移動させ、４ｂガイドピンを２ａガイドピン嵌合抉りの位置で１脱落防止移動子を１３足場単管嵌合部内側に折り込み１２足場単管に５滑り止め抉り部を載せ預けることで１４掛金と１２足場単管との嵌号は解除される。この動作は同一足場布板短手部に取り付けられた他の掛金部も行う。【００３０】  さらに、この状態で作業員よる足場布板保持を解除し、作業員は１１足場布板長手方向対向端部に移動を行い、前記同様掛金の掛金脱落防止機能を解除し、足場布板を持ち上げ、１２足場単管より１１足場布板の離脱を完了する。【００３１】  １１足場布板と１２足場単管に嵌号固定の作業性は従来通りである。布板取外しに関して改良を行ったもので、安全確実に１２足場単管より１１足場布板の離脱を行うことができる布板脱落防止及び取外し装置に関するものである。【００３２】  本発明は、４ａガイドピンを支点として、同一脱落防止移動子の回転運動で、掛金の足場単管嵌合部内側に折り込み脱落防止機能解除が行われるものであれば、本発明の要旨を逸脱しない範囲で適宜変形して実施することができる。
【図面の簡単な説明】
【００３３】
【図１】本発明の足場布板脱落防止機能解除の側面図である。
【図２】本発明の単管挿入時の側面図である。
【図３】本発明の足場布板防止機能中の側面図である。
【図４】本発明の脱落防止移動子の正面図である。
【図５】特開２００４−２７８２６２の側面図。
【図６】特開２００７−９４８６の側面図。
【図７】従来品の側面図である。
【図８】足場布板を足場単管に取り付けた斜視図。
【符号の説明】
【００３４】１  脱落防止移動子
２ａ、２ｂ  ガイドピン嵌合抉り
３ａ、３ｂ  ガイド溝
４ａ、４ｂ  ガイドピン
５  滑り止め抉り
１１  足場布板
１２  足場単管
１３  足場単管嵌合部
１４  掛金
【図１】
2012180727.tif 000003
【図２】
2012180727.tif 000004
【図３】
2012180727.tif 000005
【図４】
2012180727.tif 000006
【図５】
2012180727.tif 000007
【図６】
2012180727.tif 000008
【図７】
2012180727.tif 000009
【図８】
2012180727.tif 000010